(57)【要約】本発明は、Ｓ１シグナリングにより相手側基地局の、基地局間Ｘ２インタフェースＳＣＴＰリンクを確立するためのＩＰ情報を取得することと、基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信することと、基地局間Ｘ２インタフェースＳＣＴＰリンクを確立するための設定データにより、Ｘ２インタフェースＳＣＴＰパケットを生成することと、基地局間Ｘ２インタフェースＩＰＳｅｃトンネルを確立するための設定データにより、ＩＰＳｅｃネゴシエーションパケットを生成し、かつＸ２インタフェースＳＣＴＰパケットにより基地局間Ｘ２インタフェースＩＰＳｅｃトンネルの確立をトリガすることと、を含むＸ２インタフェースＩＰＳｅｃトンネルの確立方法を開示した。【選択図】図２
2015534399.tif 000002
【特許請求の範囲】
【請求項１】
Ｘ２インタフェースＩＰＳｅｃトンネルの確立方法であって、
Ｓ１シグナリングにより相手側基地局の、基地局間Ｘ２インタフェースＳＣＴＰリンクを確立するためのＩＰ情報を取得することと、
基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信することと、
基地局間Ｘ２インタフェースＳＣＴＰリンクを確立するための設定データにより、Ｘ２インタフェースＳＣＴＰパケットを生成しており、かつ基地局間Ｘ２インタフェースＩＰＳｅｃトンネルを確立するための設定データにより、ＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガすることと、
を含むことを特徴とする方法。
【請求項２】
設定により相手側基地局との隣接セル関係を確立し、または、ＡＮＲ隣接セル自己発見機能に基づいて相手側基地局と隣接セル関係が存在することを検出したことを更に含む請求項１に記載の前記Ｘ２インタフェースＩＰＳｅｃトンネルの確立方法。
【請求項３】
基地局間Ｘ２インタフェースＩＰＳｅｃトンネルを確立するための設定データと基地局間Ｘ２インタフェースＳＣＴＰリンクを確立するための設定データを前記自動的に生成することは、
操作維持センターに接続されていない場合、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得することと、
取得された相手側基地局の、基地局間Ｘ２インタフェースＳＣＴＰリンクを確立するためのＩＰ情報により、基地局間Ｘ２インタフェースＳＣＴＰリンクを確立するための設定データを自動的に生成し、かつ取得された基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成すること
を含むことを特徴とする請求項１または２に記載の前記Ｘ２インタフェースＩＰＳｅｃトンネルの確立方法。
【請求項４】
操作維持センターが自動的に生成して送信してきた、基地局間Ｘ２インタフェースＳＣＴＰリンクを確立するための設定データと基地局間Ｘ２インタフェースＩＰＳｅｃトンネルを確立するための設定データを受信する前に、当該方法はさらに、
操作維持センターに接続されている場合、取得された前記相手側基地局の、基地局間Ｘ２インタフェースＳＣＴＰリンクを確立するためのＩＰ情報を操作維持センターに報告し、操作維持センターが基地局間Ｘ２インタフェースＳＣＴＰリンクを確立するための設定データを自動的に生成することと、
基地局間Ｘ２インタフェースＩＰＳｅｃトンネルを確立するためのネゴシエーションパラメータが操作維持センターより生成されると検出した場合、前記操作維持センターは基地局間Ｘ２インタフェースＩＰＳｅｃトンネルを確立するためのネゴシエーションパラメータにより、前記基地局間Ｘ２インタフェースＩＰＳｅｃトンネルを確立するための設定データを自動的に生成することを含むことを特徴とする請求項１または２に記載の前記Ｘ２インタフェースＩＰＳｅｃトンネルの確立方法。
【請求項５】
操作維持センターより自動的に生成して送信してきた、基地局間Ｘ２インタフェースＳＣＴＰリンクを確立するための設定データと基地局間Ｘ２インタフェースＩＰＳｅｃトンネルを確立するための設定データを受信した前に、当該方法はさらに、
操作維持センターに接続されている場合、取得された前記相手側基地局の、基地局間Ｘ２インタフェースＳＣＴＰリンクを確立するためのＩＰ情報を操作維持センターに報告し、操作維持センターが基地局間Ｘ２インタフェースＳＣＴＰリンクを確立するための設定データを自動的に生成することと、
基地局間Ｘ２インタフェースＩＰＳｅｃトンネルを確立するためのネゴシエーションパラメータが操作維持センターより生成することではないと検出した場合、すでに確立されたＳ１インタフェースＩＰＳｅｃトンネルに対応するネゴシエーションパラメータから、基地局間Ｘ２インタフェースＩＰＳｅｃトンネルを確立ためのネゴシエーションパラメータを取得して前記操作維持センターに報告し、操作維持センターが前記基地局間Ｘ２インタフェースＩＰＳｅｃトンネルを確立するための設定データを自動的に生成することを含むことを特徴とする請求項１または２に記載のＸ２インタフェースＩＰＳｅｃトンネルの確立方法。
【請求項６】
Ｓ１シグナリングにより相手側基地局の、基地局間Ｘ２インタフェースＳＣＴＰリンクを確立するためのＩＰ情報を取得するように設置されるＳＣＴＰモジュールと、
基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信するように設置される取得モジュールと、
基地局間Ｘ２インタフェースＳＣＴＰリンクを確立するための設定データにより、Ｘ２インタフェースＳＣＴＰパケットを生成するように設置され、更に基地局間Ｘ２インタフェースＩＰＳｅｃトンネルを確立するための設定データにより、ＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガするように設置されるトンネル確立モジュールと、
を備えることを特徴とする基地局。
【請求項７】
前記取得モジュールは判断サブモジュール、取得サブモジュール及び処理サブモジュールを備え、
前記判断サブモジュールは、操作維持センターに接続されているかどうかを判断し、判断結果が接続されていないことである場合、前記取得サブモジュールに通知するように設置され、
前記取得サブモジュールは、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得するように設置され、
前記処理サブモジュールは、前記ＳＣＴＰモジュールによって取得された相手側基地局の、基地局間Ｘ２インタフェースＳＣＴＰリンクを確立するためのＩＰ情報により、基地局間Ｘ２インタフェースＳＣＴＰリンクを確立するための設定データを自動的に生成しており、かつ前記取得サブモジュールによって取得された基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成するように設置される
ことを特徴とする請求項６に記載の基地局。
【請求項８】
前記取得モジュールは、判断サブモジュール、検出サブモジュール及び設定サブモジュールを備え、
前記判断サブモジュールは、操作維持センターに接続されているかどうかを判断し、判断結果が接続されていることである場合、取得された前記相手側基地局の、基地局間Ｘ２インタフェースＳＣＴＰリンクを確立するためのＩＰ情報を操作維持センターに報告することを前記ＳＣＴＰモジュールに通知し、操作維持センターが基地局間Ｘ２インタフェースＳＣＴＰリンクを確立するための設定データを自動的に生成するように設置され、
前記検出サブモジュールは、基地局間Ｘ２インタフェースＩＰＳｅｃトンネルを確立するためのネゴシエーションパラメータが操作維持センターより生成されているかどうかを検出し、検出結果がそのようであると、前記基地局間Ｘ２インタフェースＩＰＳｅｃトンネルを確立するための設定データを自動的に生成することを操作維持センターに通知するように設置され、
前記設定サブモジュールは、前記操作維持センターより自動的に生成した送信してきた、基地局間Ｘ２インタフェースＳＣＴＰリンクを確立するための設定データと前記基地局間Ｘ２インタフェースＩＰＳｅｃトンネルを確立するための設定データを受信して保存するように設置される
ことを特徴とする請求項６に記載の基地局。
【請求項９】
前記取得モジュールは判断サブモジュール、検出サブモジュール、取得サブモジュール及び設定サブモジュールを備え、
前記判断サブモジュールは、操作維持センターに接続されているかどうかを判断し、判断結果が接続されていることである場合、取得された前記相手側基地局の、基地局間Ｘ２インタフェースＳＣＴＰリンクを確立するためのＩＰ情報を操作維持センターに報告することを前記ＳＣＴＰモジュールに通知し、操作維持センターが基地局間Ｘ２インタフェースＳＣＴＰリンクを確立するための設定データを自動的に生成するように設置され、
前記検出サブモジュールは、基地局間Ｘ２インタフェースＩＰＳｅｃトンネルを確立するためのネゴシエーションパラメータが操作維持センターより生成されているかどうかを検出し、検出結果がそのようではないと、前記取得サブモジュールに通知するように設置され、
前記取得サブモジュールは、前記検出サブモジュールからの通知により、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得して前記操作維持センターに報告し、操作維持センターが基地局間Ｘ２インタフェースＩＰＳｅｃトンネルを確立するための設定データを自動的に生成するように設置され、
前記設定サブモジュールは、前記操作維持センターより自動的に生成して送信してきた、基地局間Ｘ２インタフェースＳＣＴＰリンクを確立するための設定データと前記基地局間Ｘ２インタフェースＩＰＳｅｃトンネルを確立するための設定データを受信して保存するように設置される
ことを特徴とする請求項６に記載の基地局。
【請求項１０】
Ｘ２インタフェースＩＰＳｅｃトンネルの確立システムであって、
Ｓ１シグナリングにより相手側基地局の、基地局間Ｘ２インタフェースＳＣＴＰリンクを確立するためのＩＰ情報を取得し、かつ、基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信するように設置され、また基地局間Ｘ２インタフェースＳＣＴＰリンクを確立するための設定データにより、Ｘ２インタフェースＳＣＴＰパケットを生成するように設置され、更に前記基地局間Ｘ２インタフェースＩＰＳｅｃトンネルを確立するための設定データによりＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガするように設置される、基地局と、
基地局間Ｘ２インタフェースＳＣＴＰリンクを確立するための設定データと基地局間Ｘ２インタフェースＩＰＳｅｃトンネルを確立するための設定データとを自動的に生成して、前記基地局に送信するように設置される操作維持センターと、
を含むことを特徴とする前記Ｘ２インタフェースＩＰＳｅｃトンネルの確立システム。
【請求項１１】
基地局間Ｘ２インタフェースＳＣＴＰリンクを確立するための設定データと基地局間Ｘ２インタフェースＩＰＳｅｃトンネルを確立するための設定データを自動的に生成する場合、
前記基地局はさらに、前記操作維持センターに接続されているかどうかを判断し、かつ判断結果が接続されていないことである場合、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得するように設置され、さらに、取得された前記相手側基地局の、基地局間Ｘ２インタフェースＳＣＴＰリンクを確立するためのＩＰ情報により、基地局間Ｘ２インタフェースＳＣＴＰリンクを確立するための設定データを自動的に生成し、かつ、前記基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成するように設置されることを特徴とする請求項１０に記載される前記Ｘ２インタフェースＩＰＳｅｃトンネルの確立システム。
【請求項１２】
操作維持センターより自動的に生成した送信してきた、基地局間Ｘ２インタフェースＳＣＴＰリンクを確立するための設定データと基地局間Ｘ２インタフェースＩＰＳｅｃトンネルを確立するための設定データを受信する場合、
前記基地局はさらに、操作維持センターに接続されているかどうかを判断し、判断結果が接続されていることである場合、取得された前記相手側基地局の、基地局間Ｘ２インタフェースＳＣＴＰリンクを確立するためのＩＰ情報を操作維持センターに報告するように設置され、さらに、基地局間Ｘ２インタフェースＩＰＳｅｃトンネルを確立するためのネゴシエーションパラメータが操作維持センターより生成されているかどうかを検出し、検出結果がそのようであると、操作維持センターに通知するように設置され、
前記操作維持センターはさらに、前記基地局が報告した基地局間Ｘ２インタフェースＳＣＴＰリンクを確立するためのＩＰ情報により基地局間Ｘ２インタフェースＳＣＴＰリンクを確立するための設定データを自動的に生成して、前記基地局に送信するように設置され、さらに前記基地局からの通知により基地局間Ｘ２インタフェースＩＰＳｅｃトンネルを確立するための設定データを自動的に生成して、前記基地局に送信されるように設置され、
前記基地局はさらに前記操作維持センターより自動的に生成して送信してきた、基地局間Ｘ２インタフェースＳＣＴＰリンクを確立するための設定データと前記基地局間Ｘ２インタフェースＩＰＳｅｃトンネルを確立するための設定データを受信して保存するように設置される
ことを特徴とする請求項１０に記載される前記Ｘ２インタフェースＩＰＳｅｃトンネルの確立システム。
【請求項１３】
操作維持センターより自動的に生成して送信してきた、基地局間Ｘ２インタフェースＳＣＴＰリンクを確立するための設定データと基地局間Ｘ２インタフェースＩＰＳｅｃトンネルを確立するための設定データを受信する場合、
前記基地局はさらに前記操作維持センターに接続されているかどうかを判断し、判断結果が接続されていることである場合、取得された前記相手側基地局の、基地局間Ｘ２インタフェースＳＣＴＰリンクを確立するためのＩＰ情報を操作維持センターに報告するように設置され、さらに基地局間Ｘ２インタフェースＩＰＳｅｃトンネルを確立するためのネゴシエーションパラメータが操作維持センターより生成されているかどうかを検出し、検出結果がそのようではないと、すでに確立されたＳ１インタフェースＩＰＳｅｃトンネルに対応するネゴシエーションパラメータから、基地局間Ｘ２インタフェースＩＰＳｅｃトンネルを確立ためのネゴシエーションパラメータを取得して、前記操作維持センターに報告するように設置され、
前記操作維持センターはさらに前記基地局が報告した基地局間Ｘ２インタフェースＳＣＴＰリンクを確立するためのＩＰ情報により基地局間Ｘ２インタフェースＳＣＴＰリンクを確立するための設定データを自動的に生成して、前記基地局に送信するように設置され、さらに前記基地局が報告した基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成し、前記基地局に送信するように設置され、
前記基地局はさらに、前記操作維持センターより自動的に生成して送信してきた、基地局間Ｘ２インタフェースＳＣＴＰリンクを確立するための設定データと前記基地局間Ｘ２インタフェースＩＰＳｅｃトンネルを確立するための設定データとを受信して保存するように設置される
ことを特徴とする請求項１０に記載される前記Ｘ２インタフェースＩＰＳｅｃトンネルの確立システム。
【請求項１４】
コンピュータ記憶媒体であって、請求項１〜５のいずれか１項に記載のＸ２インタフェースＩＰＳｅｃトンネルの確立方法を実行するための１つグループの命令を含むコンピュータ記憶媒体。
【発明の詳細な説明】
【技術分野】
【０００１】
本発明は移動通信技術分野に関し、特に、Ｘ２インタフェースＩＰＳｅｃトンネルの確立方法、基地局、システム及びコンピュータ記憶媒体に関する。
【背景技術】
【０００２】
移動通信技術の快速発展に従って、第三世代移動通信システムはすでに長期発展型（ＬＴＥ：Ｌｏｎｇ  Ｔｅｒｍ  Ｅｖｏｌｕｔｉｏｎ）段階になっており、かつ、電気通信サービスデータが多くて、ネットワークの構成が複雑で、ＬＴＥがＩＰ全体に基づくなど特徴なので、３ＧＰＰは、ＩＰＳｅｃ（ＩＰ  Ｓｅｃｕｒｉｔｙ）技術を採用してデータサービスに対する保護を強化することを薦める。
【０００３】
ＬＴＥ無線ネットワークにおいて、基地局（ｅＮｏｄｅＢ：ｅｖｏｌｕｔｅｄ  Ｎｏｄｅ  Ｂ）の数量は非常に大きく、基地局間のＸ２インタフェースのリンク数は更に基地局数量の増加に従って指数的に増加されている。Ｎ個の基地局を有する規模で、基地局二つずつに確立されるＸ２ＳＣＴＰの設定データの数はＮ＊（Ｎ−１）本になる。基地局間のＸ２インタフェースリンクに対してＩＰＳｅｃ保護を実行する場合、ＩＰＳｅｃトンネルの確立を協議する際の暗号化アルゴリズム、認証アルゴリズム、ＤＨグループ（Ｄｉｆｆｉｅ−Ｈｅｌｌｍａｎ  Ｇｒｏｕｐ）に関し、設定データの数は更にＮ＊（Ｎ−１）の上に倍に増える。従って、手動でＸ２インタフェースＩＰＳｅｃトンネルを設定するモードを採用することは極めて時間が掛かり、かつパラメータが多いので設定する際にエラーが発生しやすく、パラメータが適当に設定されていない場合、更に基地局間Ｘ２インタフェースリンクが成功に確立されていないことによりサービスを影響する場合がある。
【発明の概要】
【発明が解決しようとする課題】
【０００４】
現在に存在する技術的課題を解決するために、本発明の実施例はＸ２インタフェースＩＰＳｅｃトンネルの確立方法、基地局、システム及びコンピュータ記憶媒体を提供する。
【課題を解決するための手段】
【０００５】
本発明の実施例に提供されているＸ２インタフェースＩＰＳｅｃトンネルの確立方法は、
Ｓ１シグナリングにより、相手側基地局の、基地局間Ｘ２インタフェースＳＣＴＰリンクを確立するためのＩＰ情報を取得することと、
基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信することと、
基地局間Ｘ２インタフェースＳＣＴＰリンクを確立するための設定データにより、Ｘ２インタフェースＳＣＴＰパケットを生成し、かつ基地局間Ｘ２インタフェースＩＰＳｅｃトンネルを確立するための設定データにより、ＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガすることと、
を含む。
【０００６】
また、本発明の実施例に提供される基地局は、
Ｓ１シグナリングにより、相手側基地局の、基地局間Ｘ２インタフェースＳＣＴＰリンクを確立するためのＩＰ情報を取得するように設置されるＳＣＴＰモジュールと、
基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信するように設置される取得モジュールと、
基地局間Ｘ２インタフェースＳＣＴＰリンクを確立するための設定データにより、Ｘ２インタフェースＳＣＴＰパケットを生成するように設置され、更に基地局間Ｘ２インタフェースＩＰＳｅｃトンネルを確立するための設定データにより、ＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガするように設置されるトンネル確立モジュールと、
を備える。
【０００７】
更に、本発明の実施例に提供されるＸ２インタフェースＩＰＳｅｃトンネルの確立システムは、
Ｓ１シグナリングにより、相手側基地局の、基地局間Ｘ２インタフェースＳＣＴＰリンクを確立するためのＩＰ情報を取得し、かつ基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信するように設置され、また基地局間Ｘ２インタフェースＳＣＴＰリンクを確立するための設定データにより、Ｘ２インタフェースＳＣＴＰパケットを生成するように設置され、更に基地局間Ｘ２インタフェースＩＰＳｅｃトンネルを確立するための設定データにより、ＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガするように設置される基地局と、
基地局間Ｘ２インタフェースＳＣＴＰリンクを確立するための設定データと基地局間Ｘ２インタフェースＩＰＳｅｃトンネルを確立するための設定データとを自動的に生成して、前記基地局に送信するように設置される操作維持センターと、
を含む。
【０００８】
更に、本発明の実施例では上記Ｘ２インタフェースＩＰＳｅｃトンネルの確立方法を実行するための１グループの命令を含むコンピュータ記憶媒体が提供される。
【発明の効果】
【０００９】
本発明の実施例において、Ｘ２インタフェースＩＰＳｅｃトンネルの確立方法、基地局、システム及びコンピュータ記憶媒体は、基地局の間にＸ２インタフェースＳＣＴＰリンクを確立することが必要な場合、両側の基地局はそれぞれＳ１シグナリングにより相手側の、基地局間Ｘ２インタフェースＳＣＴＰリンクを確立するためのＩＰ情報を取得した後、両側の基地局は基地局間Ｘ２インタフェースＳＣＴＰリンクを確立するための設定データと基地局間Ｘ２インタフェースＩＰＳｅｃトンネルを確立するための設定データとを、それぞれ自動的に生成し、または操作維持センターが自動的に生成して送信してきたこれらを受信しており、上記設定データが基地局で有効になった後、基地局は上記設定データによりＸ２インタフェースＳＣＴＰパケットとＩＰＳｅｃネゴシエーションパケットを生成し、Ｘ２インタフェースＳＣＴＰパケットにより基地局間のＸ２インタフェースＩＰＳｅｃセキュアトンネルの確立をトリガし、確立完了後、基地局間のＸ２インタフェースリンクデータはＩＰＳｅｃセキュアリンクより保護される。設定データが基地局より自動的に生成され、または操作維持センターより自動的に生成されて基地局に設定されるので、Ｘ２インタフェースＩＰＳｅｃトンネルを確立する過程で手動介入が必要なく、データが手動で適当に設定されていない場合に基地局間Ｘ２インタフェースリンクが成功に確立できないことによりサービスを影響する状況を回避する。
【図面の簡単な説明】
【００１０】
【図１】基地局間にＸ２インタフェースＩＰＳｅｃトンネルを自動的に確立するネットワークの配布構成図である。
【図２】本発明の実施例に提供されているＸ２インタフェースＩＰＳｅｃトンネルの確立方法のフローチャートである。
【図３】基地局は基地局間Ｘ２インタフェースＩＰＳｅｃトンネルを確立するための設定データと基地局間Ｘ２インタフェースＳＣＴＰリンクを確立するための設定データとを取得するフローチャートである。
【図４】本発明の実施例に提供されている基地局の構成図である。
【図５】図４における取得モジュールの構成図１である。
【図６】図４における取得モジュールの構成図２である。
【図７】図４における取得モジュールの構成図３である。
【図８】本発明の実施例に提供されているＸ２インタフェースＩＰＳｅｃトンネルの確立システムの構成図である。
【発明を実施するための形態】
【００１１】
本発明の実施例において、基地局の間にＸ２インタフェースＳＣＴＰリンクを確立することが必要な場合、両側の基地局はそれぞれＳ１シグナリングにより相手側の、基地局間Ｘ２インタフェースＳＣＴＰリンクを確立するためのＩＰ情報を取得した後、両側の基地局は基地局間Ｘ２インタフェースＳＣＴＰリンクを確立するための設定データと基地局間Ｘ２インタフェースＩＰＳｅｃトンネルを確立するための設定データとを、それぞれ自動的に生成し、または操作維持センターが自動的に生成して送信してきたこれらを受信しており、上記設定データがそれぞれ両側の基地局に有効になった後、両側の基地局はそれぞれ上記設定データによりＸ２インタフェースＳＣＴＰパケットとＩＰＳｅｃネゴシエーションパケットを生成し、かつＸ２インタフェースＳＣＴＰパケットにより基地局間のＸ２インタフェースＩＰＳｅｃセキュアトンネルの確立をトリガし、確立完了後、基地局間のＸ２インタフェースリンクデータはＩＰＳｅｃセキュアリンクより保護される。
【００１２】
以下、図面と具体的な実施例を参照して本発明の技術方案に対して更に詳述する。
【００１３】
図１に示すのはＬＴＥ基地局間にＸ２インタフェースＩＰＳｅｃトンネルを自動的に確立するネットワークの配布構造図であり、当該構造は、コアネットワーク、操作維持センター、ＣＡサーバー、セキュアゲートウェイ及び複数の基地局を含み、各基地局とセキュアゲートウェイはすでにコアネットワークに達するＩＰＳｅｃセキュアトンネルを確立した。
【００１４】
図１に示す構造に基づいて、本発明の実施例に提供されているＸ２インタフェースＩＰＳｅｃトンネルの確立方法は図２に示されており、下記のステップを含む。
【００１５】
ステップ２０１：本側基地局はＳ１シグナリングにより相手側基地局の、基地局間Ｘ２インタフェースＳＣＴＰリンクを確立するためのＩＰ情報を取得する。
【００１６】
ここで、本側基地局と相手側基地局は隣接セル関係が存在している。操作維持センターより本側基地局と相手側基地局のために隣接セル関係を設定してもよいし（即ち、本側基地局は設定により相手側基地局との隣接セル関係を確立する）、または、本側基地局はＡＮＲ隣接セル自己発見機能に基づいて相手側基地局と、隣接セル関係が存在することを検出してもよい。
【００１７】
ステップ２０２：本側基地局は基地局間Ｘ２インタフェースＳＣＴＰリンクを確立するための設定データとＸ２インタフェースＩＰＳｅｃトンネルを確立するための設定データを自動的に生成し、または操作維持センターが自動的に生成して送信してきたこれらを受信する。
【００１８】
当該ステップの実現モードは複数の状況がある。
【００１９】
状況１：本側基地局が操作維持センターに接続されていない場合、すでに確立されたＳ１インタフェースＩＰＳｅｃトンネルに対応するネゴシエーションパラメータから、基地局間Ｘ２インタフェースＩＰＳｅｃトンネルを確立ためのネゴシエーションパラメータを取得しており、
本側基地局は、取得された相手側基地局の基地局間Ｘ２インタフェースＳＣＴＰリンクを確立するためのＩＰ情報により、基地局間Ｘ２インタフェースＳＣＴＰリンクを確立するための設定データを自動的に生成しており、かつ取得された基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成する。
【００２０】
相手側基地局の処理は本側基地局の処理と同様である。
【００２１】
状況２：本側基地局が操作維持センターに接続されている場合、取得された相手側基地局の基地局間Ｘ２インタフェースＳＣＴＰリンクを確立するためのＩＰ情報を操作維持センターに報告し、操作維持センターは基地局間Ｘ２インタフェースＳＣＴＰリンクを確立するための設定データを自動的に生成しており、
本側基地局において基地局間Ｘ２インタフェースＩＰＳｅｃトンネルを確立するためのネゴシエーションパラメータが操作維持センターより生成されると検出した場合、操作維持センターは基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成しており、
本側基地局は、操作維持センターより送信されてきた、基地局間Ｘ２インタフェースＳＣＴＰリンクを確立するための設定データと基地局間Ｘ２インタフェースＩＰＳｅｃトンネルを確立するための設定データを受信する。
【００２２】
相手側基地局の処理は本側基地局の処理と同様である。
【００２３】
状況３：本側基地局が操作維持センターに接続されている場合、取得された相手側基地局の基地局間Ｘ２インタフェースＳＣＴＰリンクを確立するためのＩＰ情報を操作維持センターに報告し、操作維持センターは基地局間Ｘ２インタフェースＳＣＴＰリンクを確立するための設定データを自動的に生成しており、
本側基地局において基地局間Ｘ２インタフェースＩＰＳｅｃトンネルを確立するためのネゴシエーションパラメータが操作維持センターより生成されることではないと検出した場合、本側基地局はすでに確立されたＳ１インタフェースＩＰＳｅｃトンネルに対応するネゴシエーションパラメータから、基地局間Ｘ２インタフェースＩＰＳｅｃトンネルを確立ためのネゴシエーションパラメータを取得して、操作維持センターに報告し、操作維持センターは基地局間Ｘ２インタフェースＩＰＳｅｃトンネルを確立するための設定データを自動的に生成しており、
本側基地局は操作維持センターより送信されてきた、基地局間Ｘ２インタフェースＳＣＴＰリンクを確立するための設定データと基地局間Ｘ２インタフェースＩＰＳｅｃトンネルを確立するための設定データを受信する。
【００２４】
相手側基地局の処理は本側基地局の処理と同様である。
【００２５】
後で、図３を参照しながら上記の３つの状況を説明する。
【００２６】
ステップ２０３：本側基地局は基地局間Ｘ２インタフェースＳＣＴＰリンクを確立するための設定データにより、Ｘ２インタフェースＳＣＴＰパケットを生成しており、かつ基地局間Ｘ２インタフェースＩＰＳｅｃトンネルを確立するための設定データにより、ＩＰＳｅｃネゴシエーションパケットを生成し、かつＸ２インタフェースＳＣＴＰパケットにより、基地局間Ｘ２インタフェースＩＰＳｅｃトンネルの確立をトリガする。
【００２７】
上記ステップ２０２の具体的な実現フローは図３に示されており、下記のステップを含む。
【００２８】
ステップ３０１：本側基地局は自身が操作維持センターに接続されているかどうかを検出し、そのようであると、ステップ３０２に進み、そのようではないと、ステップ３０６に進む。
【００２９】
ステップ３０２：本側基地局は取得された相手側基地局の、基地局間Ｘ２インタフェースＳＣＴＰリンクを確立するためのＩＰ情報（以下、説明の便宜上、ＩＰ情報と略称される）を操作維持センターに報告し、操作維持センターは基地局間Ｘ２インタフェースＳＣＴＰリンクを確立するための設定データを生成する。
【００３０】
ステップ３０３：本側基地局は基地局間Ｘ２インタフェースＩＰＳｅｃトンネルを確立するためのネゴシエーションパラメータ（以下、説明の便宜上、ネゴシエーションパラメータと略称される）が操作維持センターより生成されているかどうかを検出し、そのようであると、ステップ３０４に進み、そのようではないと、ステップ３０８に進む。
【００３１】
ネゴシエーションパラメータは、ＩＫＥ認証モード、暗号化アルゴリズム、認証アルゴリズム、ＤＨグループ、ライフサイクル、ＩＰＳｅｃモード、暗号化アルゴリズム、認証アルゴリズム及びライフサイクルなどを含む。
【００３２】
ステップ３０４：操作維持センターはテンプレートデータまたはサービスプロバイダーに企画されるネゴシエーションパラメータにより、基地局間Ｘ２インタフェースＩＰＳｅｃトンネルを確立するための設定データを自動的に生成する。
【００３３】
ステップ３０５：操作維持センターは上記ステップ３０２における設定データとステップ３０４における設定データを本側基地局に送信し、プロセスは終了する。
【００３４】
ステップ３０６：ステップ３０１を受けて続き、本側基地局は操作維持センターに接続されていない場合、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得する。
【００３５】
ステップ３０７：本側基地局は取得されたＩＰ情報により基地局間Ｘ２インタフェースＳＣＴＰリンクを確立するための設定データを自動的に生成しており、取得されたネゴシエーションパラメータにより基地局間Ｘ２インタフェースＩＰＳｅｃトンネルを確立するための設定データを自動的に生成し、プロセスは終了する。
【００３６】
ステップ３０８：ステップ３０３を受けて続き、ネゴシエーションパラメータが操作維持センターより生成されることではない場合、本側基地局はすでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得し、かつ操作維持センターに報告する。
【００３７】
ステップ３０９：操作維持センターは報告されたネゴシエーションパラメータにより基地局間Ｘ２インタフェースＩＰＳｅｃトンネルを確立するための設定データを自動的に生成した後、ステップ３０５に進み、即ち操作維持センターは上記ステップ３０２における設定データとステップ３０９における設定データを本側基地局に送信し、プロセスは終了する。
【００３８】
当該プロセスに対して、相手側基地局の処理は本側基地局の処理と同様である。
【００３９】
以下、具体的な実施例により本発明の上記技術方案を説明し、第１基地局と第２基地局が、Ｘ２インタフェースＳＣＴＰリンクを確立することが必要な両側の基地局を表す。
【００４０】
実施例１
ステップ１０：操作維持センターより２つの基地局に対して隣接セル関係を設定したが、２つの基地局の間のＸ２インタフェースＳＣＴＰリンクはまだ設定されていない。
【００４１】
ステップ１１：隣接セル関係が設定されている第１基地局と第２基地局はＳ１シグナリングにより相手側基地局の、基地局間Ｘ２インタフェースＳＣＴＰリンクを確立するためのＩＰ情報をそれぞれ取得する。
【００４２】
ステップ１２：第１基地局と第２基地局はそれぞれ操作維持センターにすでに接続されているかどうかを検出し、いずれもすべて接続されていないと、次のステップを実行する。
【００４３】
ステップ１３：第１基地局と第２基地局は、それぞれすでにセキュアゲートウェイと確立したＳ１インタフェースＩＰＳｅｃトンネルに対応するネゴシエーションパラメータから、基地局間Ｘ２インタフェースＩＰＳｅｃトンネルを確立ためのネゴシエーションパラメータをそれぞれ取得する。
【００４４】
ステップ１４：第１基地局と第２基地局は、ステップ１１に取得されたＩＰ情報により、基地局間Ｘ２インタフェースＳＣＴＰリンクを確立するための設定データを自動的に生成しており、ステップ１３に取得されたネゴシエーションパラメータにより、基地局間Ｘ２インタフェースＩＰＳｅｃトンネルを確立するための設定データを自動的に生成する。
【００４５】
ステップ１５：第１基地局及び／または第２基地局は基地局間Ｘ２インタフェースＳＣＴＰリンクを確立するための設定データにより、基地局間Ｘ２インタフェースＳＣＴＰリンクを確立するためのパケット（即ちＸ２インタフェースＳＣＴＰパケット）を生成しており、基地局間Ｘ２インタフェースＩＰＳｅｃトンネルを確立するための設定データにより、ＩＰＳｅｃネゴシエーションパケットを生成し、Ｘ２インタフェースＳＣＴＰパケットより基地局間Ｘ２インタフェースＩＰＳｅｃトンネルの確立をトリガした後、Ｘ２インタフェースリンクはＩＰＳｅｃより保護される。
【００４６】
実施例２
ステップ２０：操作維持センターより２つの基地局に対して隣接セル関係を設定したが、２つの基地局の間のＸ２インタフェースＳＣＴＰリンクはまだ設定されていない。
【００４７】
ステップ２１：隣接セル関係が設定されている第１基地局と第２基地局は、Ｓ１シグナリングにより相手側基地局の、基地局間Ｘ２インタフェースＳＣＴＰリンクを確立するためのＩＰ情報をそれぞれ取得する。
【００４８】
ステップ２２：第１基地局と第２基地局はそれぞれ操作維持センターにすでに接続されているかどうかを検出し、接続されていると、次のステップを実行する。
【００４９】
ステップ２３：第１基地局と第２基地局はＩＰ情報を操作維持センターに報告し、操作維持センターは基地局間Ｘ２インタフェースＳＣＴＰリンクを確立するための設定データを自動的に生成する。
【００５０】
ステップ２４：第１基地局と第２基地局はそれぞれネゴシエーションパラメータが操作維持センターより生成されているかどうかを検出し、そのようであると、次のステップを実行する。
【００５１】
ステップ２５：操作維持センターはテンプレートデータまたはサービスプロバイダーに企画されているネゴシエーションパラメータにより、基地局間Ｘ２インタフェースＩＰＳｅｃトンネルを確立するための設定データを自動的に生成する。
【００５２】
ステップ２６：操作維持センターはステップ２３における設定データとステップ２５における設定データを第１基地局と第２基地局に送信する。
【００５３】
ステップ２７：第１基地局及び／または第２基地局は基地局間Ｘ２インタフェースＳＣＴＰリンクを確立するための設定データにより、基地局間Ｘ２インタフェースＳＣＴＰリンクを確立するためのパケット（即ちＸ２インタフェースＳＣＴＰパケット）を生成しており、基地局間Ｘ２インタフェースＩＰＳｅｃトンネルを確立するための設定データにより、ＩＰＳｅｃネゴシエーションパケットを生成し、Ｘ２インタフェースＳＣＴＰパケットより基地局間Ｘ２インタフェースＩＰＳｅｃトンネルの確立をトリガした後、Ｘ２インタフェースリンクはＩＰＳｅｃより保護される。
【００５４】
実施例３
ステップ３０：操作維持センターより２つの基地局に対して隣接セル関係を設定したが、２つの基地局の間のＸ２インタフェースＳＣＴＰリンクはまだ設定されていない。
【００５５】
ステップ３１：隣接セル関係が設定されている第１基地局と第２基地局は、Ｓ１シグナリングにより相手側基地局の、基地局間Ｘ２インタフェースＳＣＴＰリンクを確立するためのＩＰ情報をそれぞれ取得する。
【００５６】
ステップ３２：第１基地局と第２基地局はそれぞれ操作維持センターにすでに接続されているかどうかを検出し、接続されていると、次のステップを実行する。
【００５７】
ステップ３３：第１基地局と第２基地局はＩＰ情報を操作維持センターに報告し、操作維持センターは基地局間Ｘ２インタフェースＳＣＴＰリンクを確立するための設定データを自動的に生成する。
【００５８】
ステップ３４：第１基地局と第２基地局はそれぞれネゴシエーションパラメータが操作維持センターより生成されているかどうかを検出し、そのようではないと、次のステップを実行する。
【００５９】
ステップ３５：第１基地局と第２基地局は、それぞれすでにセキュアゲートウェイと確立したＳ１インタフェースＩＰＳｅｃトンネルに対応するネゴシエーションパラメータから、基地局間Ｘ２インタフェースＩＰＳｅｃトンネルを確立するためのネゴシエーションパラメータを取得し、操作維持センターに報告する。
【００６０】
ステップ３６：操作維持センターは、第１基地局と第２基地局が報告されたネゴシエーションパラメータにより、基地局間Ｘ２インタフェースＩＰＳｅｃトンネルを確立するための設定データを自動的に生成する。
【００６１】
ステップ３７：操作維持センターはステップ３４における設定データとステップ３７における設定データを第１基地局と第２基地局に設定する。
【００６２】
ステップ３８：第１基地局及び／または第２基地局は基地局間Ｘ２インタフェースＳＣＴＰリンクを確立するための設定データにより、基地局間Ｘ２インタフェースＳＣＴＰリンクを確立するためのパケット（即ちＸ２インタフェースＳＣＴＰパケット）を生成しており、基地局間Ｘ２インタフェースＩＰＳｅｃトンネルを確立するための設定データにより、ＩＰＳｅｃネゴシエーションパケットを生成し、Ｘ２インタフェースＳＣＴＰパケットより基地局間Ｘ２インタフェースＩＰＳｅｃトンネルの確立をトリガした後、Ｘ２インタフェースリンクはＩＰＳｅｃより保護される。
【００６３】
実施例４
ステップ４０：ＡＮＲ隣接セル自己発見機能よりトリガされ、第１基地局は第２基地局と、隣接セル関係が存在することを検出したが、２つの基地局の間のＸ２インタフェースＳＣＴＰリンクは未だ設定されていない。
【００６４】
ステップ４１：隣接セル関係がある第１基地局と第２基地局はＳ１シグナリングにより相手側基地局の、基地局間Ｘ２インタフェースＳＣＴＰリンクを確立するためのＩＰ情報をそれぞれ取得する。
【００６５】
ステップ４２：第１基地局と第２基地局はそれぞれ操作維持センターにすでに接続されているかどうかを検出し、接続されていないと、次のステップを実行する。
【００６６】
ステップ４３：第１基地局と第２基地局は、それぞれすでにセキュアゲートウェイと確立したＳ１インタフェースＩＰＳｅｃトンネルに対応するネゴシエーションパラメータから、基地局間Ｘ２インタフェースＩＰＳｅｃトンネルを確立ためのネゴシエーションパラメータを取得する。
【００６７】
ステップ４４：第１基地局と第２基地局はステップ４１において取得されたＩＰ情報により基地局間Ｘ２インタフェースＳＣＴＰリンクを確立するための設定データを自動的に生成しており、ステップ４３において取得されたネゴシエーションパラメータにより基地局間Ｘ２インタフェースＩＰＳｅｃトンネルを確立するための設定データを自動的に生成する。
【００６８】
ステップ４５：第１基地局及び／または第２基地局は基地局間Ｘ２インタフェースＳＣＴＰリンクを確立するための設定データにより、基地局間Ｘ２インタフェースＳＣＴＰリンクを確立するためのパケット（即ちＸ２インタフェースＳＣＴＰパケット）を生成しており、基地局間Ｘ２インタフェースＩＰＳｅｃトンネルを確立するための設定データにより、ＩＰＳｅｃネゴシエーションパケットを生成し、Ｘ２インタフェースＳＣＴＰパケットより基地局間Ｘ２インタフェースＩＰＳｅｃトンネルの確立をトリガした後、Ｘ２インタフェースリンクはＩＰＳｅｃより保護される。
【００６９】
実施例５
ステップ５０：ＡＮＲ隣接セル自己発見機能よりトリガされ、第１基地局は第２基地局と、隣接セル関係が存在することを検出したが、２つの基地局の間のＸ２インタフェースＳＣＴＰリンクは未だ設定されていない。
【００７０】
ステップ５１：隣接セル関係がある第１基地局と第２基地局はＳ１シグナリングにより相手側基地局の、基地局間Ｘ２インタフェースＳＣＴＰリンクを確立するためのＩＰ情報をそれぞれ取得する。
【００７１】
ステップ５２：第１基地局と第２基地局はそれぞれ操作維持センターにすでに接続されているかどうかを検出し、接続されていると、次のステップを実行する。
【００７２】
ステップ５３：第１基地局と第２基地局はＩＰ情報を操作維持センターに報告し、操作維持センターは基地局間Ｘ２インタフェースＳＣＴＰリンクを確立するための設定データを自動的に生成する。
【００７３】
ステップ５４：第１基地局と第２基地局はそれぞれネゴシエーションパラメータが操作維持センターより生成されているかどうかを検出し、そのようであると、次のステップを実行する。
【００７４】
ステップ５５：操作維持センターはテンプレートデータまたはサービスプロバイダーに企画されているネゴシエーションパラメータにより、基地局間Ｘ２インタフェースＩＰＳｅｃトンネルを確立するための設定データを自動的に生成する。
【００７５】
ステップ５６：操作維持センターはステップ５３における設定データとステップ５５における設定データを第１基地局と第２基地局に設定する。
【００７６】
ステップ５７：第１基地局及び／または第２基地局は基地局間Ｘ２インタフェースＳＣＴＰリンクを確立するための設定データにより、基地局間Ｘ２インタフェースＳＣＴＰリンクを確立するためのパケット（即ちＸ２インタフェースＳＣＴＰパケット）を生成しており、基地局間Ｘ２インタフェースＩＰＳｅｃトンネルを確立するための設定データにより、ＩＰＳｅｃネゴシエーションパケットを生成し、Ｘ２インタフェースＳＣＴＰパケットより基地局間Ｘ２インタフェースＩＰＳｅｃトンネルの確立をトリガした後、Ｘ２インタフェースリンクはＩＰＳｅｃより保護される。
【００７７】
実施例６
ステップ６０：ＡＮＲ隣接セル自己発見機能よりトリガされ、第１基地局は第２基地局と隣接セル関係が存在することを検出したが、２つの基地局の間のＸ２インタフェースＳＣＴＰリンクは未だ設定されていない。
【００７８】
ステップ６１：隣接セル関係がある第１基地局と第２基地局はＳ１シグナリングにより相手側基地局の、基地局間Ｘ２インタフェースＳＣＴＰリンクを確立するためのＩＰ情報をそれぞれ取得する。
【００７９】
ステップ６２：第１基地局と第２基地局はそれぞれ操作維持センターにすでに接続されているかどうかを検出し、接続されていると、次のステップを実行する。
【００８０】
ステップ６３：第１基地局と第２基地局はＩＰ情報を操作維持センターに報告し、操作維持センターは基地局間Ｘ２インタフェースＳＣＴＰリンクを確立するための設定データを自動的に生成する。
【００８１】
ステップ６４：第１基地局と第２基地局はそれぞれネゴシエーションパラメータが操作維持センターより生成されているかどうかを検出し、そのようではないと、次のステップを実行する。
【００８２】
ステップ６５：第１基地局と第２基地局は、それぞれすでにセキュアゲートウェイと確立したＳ１インタフェースＩＰＳｅｃトンネルに対応するネゴシエーションパラメータから、基地局間Ｘ２インタフェースＩＰＳｅｃトンネルを確立するためのネゴシエーションパラメータを取得し、操作維持センターに報告する。
【００８３】
ステップ６６：操作維持センターは、第１基地局と第２基地局が報告されたネゴシエーションパラメータにより、基地局間Ｘ２インタフェースＩＰＳｅｃトンネルを確立するための設定データを自動的に生成する。
【００８４】
ステップ６７：操作維持センターはステップ３４における設定データとステップ３７における設定データを第１基地局と第２基地局に設定する。
【００８５】
ステップ６８：第１基地局及び／または第２基地局は基地局間Ｘ２インタフェースＳＣＴＰリンクを確立するための設定データにより、基地局間Ｘ２インタフェースＳＣＴＰリンクを確立するためのパケット（即ちＸ２インタフェースＳＣＴＰパケット）を生成しており、基地局間Ｘ２インタフェースＩＰＳｅｃトンネルを確立するための設定データにより、ＩＰＳｅｃネゴシエーションパケットを生成し、Ｘ２インタフェースＳＣＴＰパケットより基地局間Ｘ２インタフェースＩＰＳｅｃトンネルの確立をトリガした後、Ｘ２インタフェースリンクはＩＰＳｅｃより保護される。
【００８６】
上記の方法を実現するために、本発明は更に基地局を提供し、ここの基地局は上記の本側基地局または相手側基地局であり（上記の第１基地局または第２基地局にも適用される）、図４に示すように、
Ｓ１シグナリングにより相手側基地局の、基地局間Ｘ２インタフェースＳＣＴＰリンクを確立するためのＩＰ情報を取得するように設置される、ＳＣＴＰモジュール１０と、
基地局間Ｘ２インタフェースＳＣＴＰリンクを確立するための設定データと基地局間Ｘ２インタフェースＩＰＳｅｃトンネルを確立するための設定データとを自動的に生成し、または操作維持センターが自動的に生成して送信してきたこれらを受信するように設置される、取得モジュール２０と、
基地局間Ｘ２インタフェースＳＣＴＰリンクを確立するための設定データにより、Ｘ２インタフェースＳＣＴＰパケットを生成するように設置され、また基地局間Ｘ２インタフェースＩＰＳｅｃトンネルを確立するための設定データにより、ＩＰＳｅｃネゴシエーションパケットを生成し、かつ前記Ｘ２インタフェースＳＣＴＰパケットにより、基地局間Ｘ２インタフェースＩＰＳｅｃトンネルの確立をトリガするように設置される、トンネル確立モジュール３０とを含む。
【００８７】
図５に示すように、本発明の実施例における取得モジュール２０の１種の構成としては、判断サブモジュール２１、取得サブモジュール２２及び処理サブモジュール２３を備える。
【００８８】
判断サブモジュール２１は、操作維持センターに接続されているかどうかを判断し、かつ判断結果が接続されていないことである場合、取得サブモジュール２２に通知するように設置される。
【００８９】
取得サブモジュール２２は、すでに確立されたＳ１インタフェースＩＰＳｅｃトンネルに対応するネゴシエーションパラメータから、基地局間Ｘ２インタフェースＩＰＳｅｃトンネルを確立ためのネゴシエーションパラメータを取得するように設置される。
【００９０】
処理サブモジュール２３は、ＳＣＴＰモジュール１０によって取得された相手側基地局の、基地局間Ｘ２インタフェースＳＣＴＰリンクを確立するためのＩＰ情報により、基地局間Ｘ２インタフェースＳＣＴＰリンクを確立するための設定データを自動的に生成しており、取得サブモジュール２２によって取得された基地局間Ｘ２インタフェースＩＰＳｅｃトンネルを確立するためのネゴシエーションパラメータにより基地局間Ｘ２インタフェースＩＰＳｅｃトンネルを確立するための設定データを自動的に生成する。
【００９１】
図６に示すように、本発明の実施例における取得モジュール２０の１つの構成としては、判断サブモジュール２１、検出サブモジュール２４及び設定サブモジュール２５を備える。
【００９２】
判断サブモジュール２１は、操作維持センターに接続されているかどうかを判断し、判断結果が接続されていることである場合、取得された相手側基地局の、基地局間Ｘ２インタフェースＳＣＴＰリンクを確立するためのＩＰ情報を操作維持センターに報告することをＳＣＴＰモジュール１０に通知し、操作維持センターが基地局間Ｘ２インタフェースＳＣＴＰリンクを確立するための設定データを自動的に生成するように設置される。
【００９３】
検出サブモジュール２４は、基地局間Ｘ２インタフェースＩＰＳｅｃトンネルを確立するためのネゴシエーションパラメータが操作維持センターより生成されているかどうかを検出し、検出結果がそのようであると、基地局間Ｘ２インタフェースＩＰＳｅｃトンネルを確立するための設定データを自動的に生成することを操作維持センターに通知するように設置される。
【００９４】
設定サブモジュール２５は、操作維持センターより自動的に生成され送信されてきた基地局間Ｘ２インタフェースＳＣＴＰリンクを確立するための設定データと基地局間Ｘ２インタフェースＩＰＳｅｃトンネルを確立するための設定データを受信して保存するように設置される。
【００９５】
図７に示すように、本発明の実施例における取得モジュール２０の１種の構成としては、判断サブモジュール２１、検出サブモジュール２４、取得サブモジュール２２及び設定サブモジュール２５を備える。
【００９６】
判断サブモジュール２１は、操作維持センターに接続されているかどうかを判断し、判断結果が接続されていることである場合、取得された相手側基地局の、基地局間Ｘ２インタフェースＳＣＴＰリンクを確立するためのＩＰ情報を操作維持センターに報告することをＳＣＴＰモジュール１０に通知し、操作維持センターが基地局間Ｘ２インタフェースＳＣＴＰリンクを確立するための設定データを自動的に生成するように設置される。
【００９７】
検出サブモジュール２４は、基地局間Ｘ２インタフェースＩＰＳｅｃトンネルを確立するためのネゴシエーションパラメータが操作維持センターより生成されているかどうかを検出し、検出結果がそのようではないと、取得サブモジュール２２に通知するように設置される。
【００９８】
取得サブモジュール２２は、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得して操作維持センターに報告し、操作維持センターが基地局間Ｘ２インタフェースＩＰＳｅｃトンネルを確立するための設定データを自動的に生成するように設置される。
【００９９】
設定サブモジュール２５は、操作維持センターより自動的に生成され送信されてきた基地局間Ｘ２インタフェースＳＣＴＰリンクを確立するための設定データと基地局間Ｘ２インタフェースＩＰＳｅｃトンネルを確立するための設定データを受信して保存するように設置される。
【０１００】
また、上記の判断サブモジュール２１、取得サブモジュール２２、処理サブモジュール２３、検出サブモジュール２４及び設定サブモジュール２５はいずれも基地局における中央処理器（ＣＰＵ：Ｃｅｎｔｒａｌ  Ｐｒｏｃｅｓｓｉｎｇ  Ｕｎｉｔ）、微処理器（ＭＰＵ：Ｍｉｃｒｏ  Ｐｒｏｃｅｓｓｉｎｇ  Ｕｎｉｔ）、デジタルシグナルプロセッサ（ＤＳＰ：Ｄｉｇｉｔａｌ  Ｓｉｇｎａｌ  Ｐｒｏｃｅｓｓｏｒ）またはプログラマブルロジックアレー（ＦＰＧＡ：Ｆｉｅｌｄ−Ｐｒｏｇｒａｍｍａｂｌｅ  Ｇａｔｅ  Ａｒｒａｙ）より実現されてもよい。
【０１０１】
また、本発明の実施例はＸ２インタフェースＩＰＳｅｃトンネルの確立システムを開示し、図８に示すように、当該システムは、
Ｓ１シグナリングにより相手側基地局の、基地局間Ｘ２インタフェースＳＣＴＰリンクを確立するためのＩＰ情報を取得し、基地局間Ｘ２インタフェースＳＣＴＰリンクを確立するための設定データと基地局間Ｘ２インタフェースＩＰＳｅｃトンネルを確立するための設定データを自動的に生成し、または操作維持センター０２より自動的に生成され送信されてきたこれらを受信するように設置されており、また基地局間Ｘ２インタフェースＳＣＴＰリンクを確立するための設定データにより、Ｘ２インタフェースＳＣＴＰパケットを生成するように設置されており、更に基地局間Ｘ２インタフェースＩＰＳｅｃトンネルを確立するための設定データにより、ＩＰＳｅｃネゴシエーションパケットを生成し、かつＸ２インタフェースＳＣＴＰパケットにより基地局間Ｘ２インタフェースＩＰＳｅｃトンネルの確立をトリガするように設置される、基地局０１を含む。
【０１０２】
当該システムは更に、
基地局間Ｘ２インタフェースＳＣＴＰリンクを確立するための設定データと基地局間Ｘ２インタフェースＩＰＳｅｃトンネルを確立するための設定データを自動的に生成して基地局０１に送信するように設置される、操作維持センター０２を含む。
【０１０３】
ここで、基地局間Ｘ２インタフェースＳＣＴＰリンクを確立するための設定データと基地局間Ｘ２インタフェースＩＰＳｅｃトンネルを確立するための設定データを自動的に生成する場合、
基地局０１は、さらに、操作維持センター０２に接続されているかどうかを判断し、判断結果が接続されていないことである場合、すでに確立されたＳ１インタフェースＩＰＳｅｃトンネルに対応するネゴシエーションパラメータから、基地局間Ｘ２インタフェースＩＰＳｅｃトンネルを確立ためのネゴシエーションパラメータを取得するように設置されており、さらに、取得された相手側基地局の、基地局間Ｘ２インタフェースＳＣＴＰリンクを確立するためのＩＰ情報により、基地局間Ｘ２インタフェースＳＣＴＰリンクを確立するための設定データを自動的に生成しており、かつ基地局間Ｘ２インタフェースＩＰＳｅｃトンネルを確立するためのネゴシエーションパラメータにより、基地局間Ｘ２インタフェースＩＰＳｅｃトンネルを確立するための設定データを自動的に生成するように設置される。
【０１０４】
ここで、操作維持センター０２より自動的に生成され送信されてきた、基地局間Ｘ２インタフェースＳＣＴＰリンクを確立するための設定データと基地局間Ｘ２インタフェースＩＰＳｅｃトンネルを確立するための設定データを受信する場合、
基地局０１は、さらに、操作維持センター０２に接続されているかどうかを判断し、判断結果が接続されていることである場合、取得された相手側基地局の、基地局間Ｘ２インタフェースＳＣＴＰリンクを確立するためのＩＰ情報を操作維持センター０２に報告するように設置され、また、基地局間Ｘ２インタフェースＩＰＳｅｃトンネルを確立するためのネゴシエーションパラメータが操作維持センター０２より生成されているかどうかを検出し、かつ検出結果がそのようであると、操作維持センター０２に通知するように設置される。
【０１０５】
操作維持センター０２はさらに基地局０１が報告する、基地局間Ｘ２インタフェースＳＣＴＰリンクを確立するためのＩＰ情報により、基地局間Ｘ２インタフェースＳＣＴＰリンクを確立するための設定データを自動的に生成して基地局０１に送信されるように設置され、基地局０１からの通知により、基地局間Ｘ２インタフェースＩＰＳｅｃトンネルを確立するための設定データを自動的に生成して基地局０１に送信するように設置される。
【０１０６】
基地局０１はさらに操作維持センター０２より自動的に生成して送信してきた、基地局間Ｘ２インタフェースＳＣＴＰリンクを確立するための設定データと、基地局間Ｘ２インタフェースＩＰＳｅｃトンネルを確立するための設定データとを受信して保存するように設置される。
【０１０７】
ここで、操作維持センターより自動的に生成して送信してきた、基地局間Ｘ２インタフェースＳＣＴＰリンクを確立するための設定データと基地局間Ｘ２インタフェースＩＰＳｅｃトンネルを確立するための設定データを受信する場合、
基地局０１はさらに操作維持センター０２に接続されているかどうかを判断し、判断結果が接続されていることである場合、取得された相手側基地局の、基地局間Ｘ２インタフェースＳＣＴＰリンクを確立するためのＩＰ情報を操作維持センター０２に報告するように設置され、さらに基地局間Ｘ２インタフェースＩＰＳｅｃトンネルを確立するためのネゴシエーションパラメータが操作維持センター０２より生成されているかどうかを検出し、検出結果がそのようではないであると、すでに確立されたＳ１インタフェースＩＰＳｅｃトンネルに対応するネゴシエーションパラメータから、基地局間Ｘ２インタフェースＩＰＳｅｃトンネルを確立するためのネゴシエーションパラメータを取得し、かつ操作維持センター０２に報告するように設置され、
操作維持センター０２はさらに、基地局０１が報告した基地局間Ｘ２インタフェースＳＣＴＰリンクを確立するためのＩＰ情報により、基地局間Ｘ２インタフェースＳＣＴＰリンクを確立するための設定データを自動的に生成して基地局０１に送信するように設置され、基地局０１が報告した基地局間Ｘ２インタフェースＩＰＳｅｃトンネルを確立するためのネゴシエーションパラメータにより基地局間Ｘ２インタフェースＩＰＳｅｃトンネルを確立するための設定データを自動的に生成して基地局０１に送信するように設置される。
【０１０８】
基地局０１はさらに、操作維持センター０２より自動的に生成した送信してきた、基地局間Ｘ２インタフェースＳＣＴＰリンクを確立するための設定データと基地局間Ｘ２インタフェースＩＰＳｅｃトンネルを確立するための設定データを受信して保存するように設置される。
【０１０９】
ここで、基地局０１の内部構成は図４〜図７に示すようであるため、説明は省略する。
【０１１０】
本発明の実施例は、方法、システム、またはコンピュータプログラム製品として提供されることができることは当業者が理解であろう。従って、本発明はハードウエアに係る実施例、ソフトウエアに係る実施例を採用してもよく、または、ハードウエアとソフトウエアの組み合わせに係る実施例のモードを採用してもよい。また、本発明は、コンピュータの使用可能なプログラムコードが含まれる１つまたは複数のコンピュータ使用可能な記憶媒体（ディスク記憶装置や光学メモリなどが含まれるが、これらに限られない）に実施されるコンピュータプログラム製品のモードを採用することができる。
【０１１１】
本発明は、本発明の実施例による方法、設備（システム）、及びコンピュータプログラム製品のフローチャート及び／またはブロック図を参照しながら記述されるものである。コンピュータプログラム命令によりフローチャート及び／またはブロック図における各プロセス及び／またはブロック、及びフローチャート及び／またはブロック図におけるプロセス及び／またはブロックの組み合わせを実現することができると理解であろう。これらのコンピュータプログラム命令を汎用コンピュータ、専用コンピュータ、嵌入式処理機または他のプログラム可能なデータ処理設備のプロセッサに提供して１つの機器を生成することにより、コンピュータまたは他のプログラム可能なデータ処理設備のプロセッサで実行された命令により、フローチャートにおける１つのプロセスまたは複数のプロセス及び／またはブロック図における１つのブロックまたは複数のブロックに指定される機能を実現する装置を生成することができる。
【０１１２】
これらのコンピュータプログラム命令は、コンピュータまたは他のプログラム可能なデータ処理設備をガイドして特定な方式で作動させる、コンピュータ読み取り可能なメモリに記憶されていることができて、当該コンピュータ読み取り可能なメモリに記憶されている命令が命令装置を含む製造品を生成し、当該命令装置はフローチャートにおける１つのプロセスまたは複数のプロセス及び／またはブロック図におけるブロックまたは複数のブロックに指定された機能を実現する。
【０１１３】
これらのコンピュータプログラム命令はコンピュータまたは他のプログラム可能なデータ処理設備に載置されてもよく、このように、コンピュータまたは他のプログラム可能な設備に一連の操作ステップを実行してコンピュータにより実現される処理を生成することにより、コンピュータまたはプログラム可能な設備に実行される命令はフローチャートにおける１つのプロセスまたは複数のプロセス及び／またはブロック図における１つのブロックまたは複数のブロックに指定される機能を実現するためのステップを提供する。
【０１１４】
本発明の実施例は、本発明の上記実施例に提供されているＸ２インタフェースＩＰＳｅｃトンネルの確立方法を実行するための１グループの命令を含むコンピュータ記憶媒体を更に提供する。
【０１１５】
以上は、本発明の最適的な実施例に過ぎなく、本発明の保護範囲を制限することではない。
【図１】
2015534399.tif 000003
【図２】
2015534399.tif 000004
【図３】
2015534399.tif 000005
【図４】
2015534399.tif 000006
【図５】
2015534399.tif 000007
【図６】
2015534399.tif 000008
【図７】
2015534399.tif 000009
【図８】
2015534399.tif 000010
【国際調査報告】
2015534399.tif 000011
2015534399.tif 000012
2015534399.tif 000013
2015534399.tif 000014
2015534399.tif 000015
2015534399.tif 000016